(57)【要約】溶接装置は、溶接電源装置と、溶接電源装置に対して着脱可能な溶接条件設定器を有し、溶接電源装置に設けられた接続検出部と、溶接条件変更可否設定部により溶接条件変更の許可あるいは不許可を設定する。溶接条件設定器が溶接電源装置から分離された状態あるいは溶接電源装置に接続されている場合で、かつ溶接条件変更可否設定部により不許可が設定されている場合は、溶接条件の変更を不許可とする。溶接条件設定器が溶接電源装置に接続された状態で、かつ溶接条件変更可否設定部により許可が設定されている場合は、溶接条件の変更を許可する。
2012157157.tif 000002
【特許請求の範囲】
【請求項１】
溶接電源装置と前記溶接電源装置が行う溶接に関する条件を設定するための溶接条件設定器とを備えた溶接装置であって、
前記溶接条件設定器は前記溶接電源装置に対して着脱可能であり、
前記溶接条件設定器は、
前記溶接電源装置に対して溶接条件を設定するための第１の溶接条件設定部を備え、
前記溶接電源装置は、
前記溶接条件設定器が前記溶接電源装置に接続されているか否かを検出する接続検出部と、
溶接条件を設定するための第２の溶接条件設定部と、
前記第１の溶接条件設定部および前記第２の溶接条件設定部の少なくともいずれかで設定された溶接条件を記憶する溶接条件記憶部を備え、
前記溶接条件設定器および前記溶接電源装置の少なくともいずれかは、前記溶接条件記憶部に記憶された溶接条件の変更の可否を設定するための溶接条件変更可否設定部を備え、
前記溶接電源装置は、前記接続検出部と前記溶接条件変更可否設定部の出力に基づいて前記第１の溶接条件設定部および前記第２の溶接条件設定部の少なくともいずれかによる前記溶接条件記憶部に記憶された溶接条件の変更の可否を決定する溶接装置。
【請求項２】
前記溶接条件設定器が前記溶接電源装置に接続されていない場合には、前記溶接条件変更可否設定部の設定内容に関わらず、前記溶接電源装置に設けられた前記第２の溶接条件設定部による前記溶接条件記憶部に記憶された溶接条件の変更を不可とする請求項１記載の溶接装置。
【請求項３】
前記溶接電源装置は、溶接出力を行う溶接出力部と、前記溶接条件記憶部に記憶された溶接条件に基づいて前記溶接出力部を制御する溶接制御部と、を備え、
前記溶接電源装置は、前記溶接条件設定器が前記溶接電源装置から取り外された場合には、前記溶接条件変更可否設定部の設定内容に関わらず、前記溶接条件記憶部に記憶されている溶接条件の変更を不可として保持し、
前記溶接電源装置は、前記溶接条件設定器が前記溶接電源装置から取り外された場合でも、前記溶接条件記憶部に記憶されている溶接条件に基づいて溶接を行う請求項１または２のいずれか１項に記載の溶接装置。
【請求項４】
前記溶接条件設定器が前記溶接電源装置に接続されており、かつ、前記溶接条件変更可否設定部が溶接条件の変更可に設定されている場合には、前記第１の溶接条件設定部および前記第２の溶接条件設定部の少なくともいずれかによる溶接条件記憶部に記憶されている溶接条件の変更を可とし、
前記溶接条件設定器が前記溶接電源装置に接続されており、かつ、前記溶接条件変更可否設定部が溶接条件の変更不可に設定されている場合には、前記第１の溶接条件設定部および前記第２の溶接条件設定部の少なくともいずれかによる前記溶接条件記憶部に記憶されている溶接条件の変更を不可とし、
前記溶接条件設定器が前記溶接電源装置に接続されていない場合には、前記第１の溶接条件設定部および前記第２の溶接条件設定部の少なくともいずれかによる前記溶接条件記憶部に記憶されている溶接条件の変更を不可とする請求項１から３のいずれか１項に記載の溶接装置。
【請求項５】
前記溶接条件設定器と前記溶接電源装置が接続されていない状態から、前記溶接条件設定器と前記溶接電源装置を接続した場合には、前記溶接条件変更可否設定部の設定内容に関わらず、前記第１の溶接条件設定部および前記第２の溶接条件設定部の少なくともいずれかによる前記溶接条件記憶部に記憶されている溶接条件の変更を不可とする請求項１から４のいずれか１項に記載の溶接装置。
【請求項６】
前記溶接電源装置は前記溶接電源装置を起動するための起動スイッチを備え、前記溶接電源装置の起動時には、前記溶接条件変更可否設定部の設定内容に関わらず、前記第１の溶接条件設定部および前記第２の溶接条件設定部の少なくともいずれかによる前記溶接条件記憶部に記憶されている溶接条件の変更を不可とする請求項１から５のいずれか１項に記載の溶接装置。
【請求項７】
前記溶接条件設定器に設けられた前記第１の溶接条件設定部は、溶接電流と溶接電圧を設定する機能を有し、
前記溶接電源装置に設けられた前記第２の溶接条件設定部は、溶接電流と溶接電圧を除く溶接条件を設定する機能を有する請求項１から６のいずれか１項に記載の溶接装置。
【発明の詳細な説明】
【技術分野】
【０００１】
本発明は、溶接電源装置と、溶接電源装置が行う溶接に関する条件を設定するための溶接条件設定器と、を備えた溶接装置において、溶接電源装置に記憶されている溶接条件の固定あるいは固定の解除を行う、すなわち、溶接条件の変更の可否を行う溶接装置に関する。
【背景技術】
【０００２】
アーク溶接を行う場合、溶接対象物であるワークに適した溶接条件を設定する必要がある。多品種少量生産の被溶接物を溶接する場合、ワークが頻繁に変更され、ワークが変更される毎に溶接条件を設定する必要がある。このような場合、溶接作業者が溶接条件設定器を手元に置きながら溶接を行う場合があり、溶接作業者が誤って溶接条件設定器に触れてしまうと、設定している溶接条件が変化してしまう場合がある。【０００３】
また、溶接ロボット等を用いた自動の溶接装置を使用する場合、同形状の複数のワークに対して、同一の溶接条件で溶接作業を繰り返し行うことが主となる。この場合、溶接条件を固定して溶接が行われることになる。【０００４】
また、溶接品質の安定という観点等から、溶接作業者が溶接条件を変更できないようにする、すなわち、溶接条件を固定する場合もある。溶接装置における従来の溶接条件の固定方法としては、溶接装置にキースイッチを設け、キースイッチが入らなければ溶接条件の変更を不許可とするものや、溶接装置にパスワード入力部を設け、パスワードが入力されなければ、溶接条件の変更を不許可とするもの等がある。【０００５】
図４は、従来の溶接装置１００の概略構成を示す図である。図４において、溶接装置１００は、溶接条件を設定するための溶接条件設定器２と、溶接条件設定器２と接続され溶接出力を行うための溶接電源装置３を備えている。溶接電源装置３には、所定の位置に、溶接条件の固定または固定の解除、すわわち、溶接条件の変更の不許可または許可を設定するためのキースイッチ１９が設けられている。【０００６】
次に、図４を用いて、溶接装置１００の動作について説明する。溶接電源装置３は、単相または３相の商用電源１５から電力を入力し、電力変換部１６においてインバータ制御等の出力制御を行い、溶接電源装置３は、溶接に適した溶接電圧や溶接電流に変換して出力する。溶接電流は、溶接電流検出部１７により検出され、溶接電流検出信号が溶接制御部１４に出力される。また、溶接電圧は、溶接電圧検出部１８により検出され、溶接電圧検出信号が溶接制御部１４に出力される。溶接制御部１４は、溶接電流検出信号と、溶接電圧検出信号と、後述する溶接条件設定信号に基づいて、溶接出力の制御に必要な溶接制御信号を生成し、この溶接制御信号を電力変換部１６に出力する。電力変換部１６は、溶接制御信号を入力し、設定された溶接条件に適した溶接出力となるように溶接出力の制御を行う。【０００７】
次に、溶接条件の設定方法について説明する。溶接条件の設定時は、キースイッチ１９により、溶接条件の固定を解除した状態としておく。溶接条件設定器２の溶接電流設定部６は、溶接電流設定値を設定するためのものである。設定された溶接電流設定値を示す溶接電流設定信号は、溶接電源装置３の溶接条件記憶部１３に出力される。溶接電圧設定部７は、溶接電圧設定値を設定するためのものである。設定された溶接電圧設定値を示す溶接電圧設定信号は、溶接電源装置３の溶接条件記憶部１３に出力される。また、溶接電源装置３の溶接法設定部１０により、ＣＯ２溶接（炭酸ガスアーク溶接）やＭＡＧ溶接等の溶接法を設定し、溶接法設定信号が溶接条件記憶部１３に出力される。また、溶接電源装置３の一元・個別設定部１１により、一元または個別を設定し、一元・個別設定信号が溶接条件記憶部１３に出力される。また、溶接電源装置３のワイヤ設定部１２により、ソリッドワイヤやフラックスコアードワイヤ等のワイヤ種類やワイヤ径等を設定し、ワイヤ設定信号が溶接条件記憶部１３に出力される。溶接条件記憶部１３は、溶接法設定信号と、一元・個別設定信号と、ワイヤ設定信号と、溶接電流設定信号と、溶接電圧設定信号等に基づいて溶接条件を生成し、溶接条件設定信号として溶接制御部１４に出力する。【０００８】
ここで、溶接電源装置３のキースイッチ１９は、鍵（キー）が挿入された状態で回すスイッチである。キースイッチ１９を条件固定の位置とすることで、キースイッチ指令信号が溶接条件記憶部１３に出力され、キースイッチ１９により溶接条件が固定された状態となる。キースイッチ１９により溶接条件を固定状態とした後、キースイッチ１９の鍵を抜くことで、キースイッチ１９の操作ができなくなり、溶接条件の固定解除が不可能となる。そして、キースイッチ１９により溶接条件を固定状態としている場合、溶接条件記憶部１３は、溶接条件を変更するための全ての入力を受け付けなくなり、溶接条件の変更が不許可となる。なお、キースイッチ１９に鍵を差し込んで回し、溶接条件の固定を解除する位置にすると、キースイッチ指令信号の出力が停止され、キースイッチ１９が溶接条件固定解除の状態となる。【０００９】
このように、従来の溶接装置１００として、キースイッチ１９の切り替えにより、溶接作業者に対して一時的に溶接条件の変更を不許可とし、また、キースイッチ１９の鍵を抜くことで、溶接作業者の溶接条件変更を禁止するというものが知られている（例えば、特許文献１参照）。【００１０】
しかし、従来のキースイッチ１９による溶接条件の固定を行う場合、キースイッチ１９自体が高価であることや、複数の溶接装置１００を所有するユーザの場合には複数のキーを管理する必要が生じて面倒となる等の課題がある。【００１１】
また、パスワードにより溶接条件の固定を行う場合、溶接電源装置３にパスワードの設定部や表示部等を設ける必要があり、ユーザインターフェースが複雑になるといった課題がある。
【先行技術文献】
【特許文献】
【００１２】
【特許文献１】特開２００７−２１０００７号公報
【発明の概要】
【００１３】
本発明は、簡単な構造で、かつ安価に、溶接条件の固定および固定解除を行う溶接装置を提供する。
【００１４】
上記課題を解決するために、本発明の溶接装置は、溶接電源装置と上記溶接電源装置が行う溶接に関する条件を設定するための溶接条件設定器とを備えた溶接装置であって、上記溶接条件設定器は上記溶接電源装置に対して着脱可能である。上記溶接条件設定器は、上記溶接電源装置に対して溶接条件を設定するための第１の溶接条件設定部を備える。上記溶接電源装置は、上記溶接条件設定器が上記溶接電源装置に接続されているか否かを検出する接続検出部と、溶接条件を設定するための第２の溶接条件設定部と、上記第１の溶接条件設定部および上記第２の溶接条件設定部の少なくともいずれかで設定された溶接条件を記憶する溶接条件記憶部を備える。上記溶接条件設定器および上記溶接電源装置の少なくともいずれかは、上記溶接条件記憶部に記憶された溶接条件の変更の可否を設定するための溶接条件変更可否設定部を備える。上記溶接電源装置は、上記接続検出部と上記溶接条件変更可否設定部の出力に基づいて上記第１の溶接条件設定部および上記第２の溶接条件設定部の少なくともいずれかによる上記溶接条件記憶部に記憶された溶接条件の変更の可否を決定する構成からなる。
【００１５】
この構成により、接続検出部と溶接条件変更可否設定部の出力に基づいて第１の溶接条件設定部および第２の溶接条件設定部の少なくともいずれかによる溶接条件記憶部に記憶された溶接条件の変更の可否を決定することができる。また、溶接条件の変更の不可を設定することで、溶接条件の変更を許可したくない場合には溶接条件が変更されることを防ぐことができる。このことにより、簡単な構造で、かつ安価に、溶接条件の固定および固定解除を行う溶接装置を実現することができる。
【図面の簡単な説明】
【００１６】
【図１】図１は、本発明の実施の形態１における溶接装置の概略構成を示す図である。
【図２】図２は、本発明の実施の形態１における別の溶接装置の概略構成を示す図である。
【図３】図３は、本発明の実施の形態１におけるさらに別の溶接装置の概略構成を示す図である。
【図４】図４は、従来の溶接装置の概略構成を示す図である。
【発明を実施するための形態】
【００１７】
以下、本発明の一実施の形態について、図面を参照しながら説明する。以下の図面においては、同じ構成要素については同じ符号を付しているので説明を省略する場合がある。
【００１８】
（実施の形態１）
図１は、本発明の実施の形態１における溶接装置１の概略構成を示す図である。図２は、本発明の実施の形態１における別の溶接装置２１の概略構成を示す図である。図２の溶接装置２１は、溶接条件変更可否設定部５が溶接電源装置３に含まれているところが、溶接条件変更可否設定部５が溶接条件設定器２に含まれる図１の溶接装置１と異なる。図３は、本発明の実施の形態１における別の溶接装置３１の概略構成を示す図である。図３の溶接装置３１は、溶接条件変更可否設定部５が溶接条件設定器２と溶接電源装置３にそれぞれ含まれているところが、図１の溶接装置１および図２の溶接装置２１と異なる。
【００１９】
図１に示す溶接装置１は、溶接出力を行う溶接電源装置３と、溶接電源装置３が行う溶接に関する溶接条件等を設定するための溶接条件設定器２と、を備えている。なお、溶接条件設定器２は、コネクタ等により溶接電源装置３に対して着脱可能である。
【００２０】
溶接条件設定器２は、溶接条件を設定するための第１の溶接条件設定部４と、溶接条件の変更の可否を設定し溶接条件可否設定信号を溶接電源装置３の後述する溶接条件記憶部１３に出力する溶接条件変更可否設定部５を備えている。そして、第１の溶接条件設定部４は、溶接電流を設定し溶接電流設定信号を溶接条件記憶部１３に出力する溶接電流設定部６と、溶接電圧を設定し溶接電圧設定信号を溶接条件記憶部１３に出力する溶接電圧設定部７を備えている。
【００２１】
溶接電源装置３は、接続検出部８と、第２の溶接条件設定部９と、溶接条件記憶部１３を備えている。
【００２２】
接続検出部８は、溶接条件設定器２が溶接電源装置３に接続されているか否か、すなわち、溶接条件設定器２が溶接電源装置３に接続されているか否かを検出し、接続検出信号を溶接条件記憶部１３に出力するものである。なお、溶接条件設定器２と溶接電源装置３の接続の検出は、例えば、溶接条件設定器２と溶接電源装置３が電気的に接続されているか否かを検出することにより行われる。
【００２３】
第２の溶接条件設定部９は、溶接法設定部１０と、一元・個別設定部１１と、ワイヤ設定部１２と、を備えている。ここで、溶接法設定部１０は、ＣＯ２溶接やＭＡＧ溶接等の溶接法を設定するためのものであり、溶接法設定信号を溶接条件記憶部１３に出力する。一元・個別設定部１１は、溶接条件の一元または個別を設定するためのものであり、一元・個別選択信号を溶接条件記憶部１３に出力する。ワイヤ設定部１２は、ソリッドワイヤやフラックスコアードワイヤ等のワイヤ種類やワイヤ径を設定するためのものであり、ワイヤ設定信号を溶接条件記憶部１３に出力する。
【００２４】
溶接条件記憶部１３は、溶接法設定信号と、一元・個別選択信号と、ワイヤ設定信号と、溶接電流設定信号と、溶接電圧設定信号等に基づいて溶接条件を生成し、溶接条件設定信号として溶接制御部１４に出力する。
【００２５】
以上のように構成された溶接装置１について、その動作を説明する。
【００２６】
先ず、溶接条件設定器２が溶接電源装置３に接続されており、溶接条件変更可否設定部５により溶接条件の変更が可に設定されている場合について説明する。
【００２７】
溶接条件設定器２を溶接電源装置３に装着した場合、すなわち、溶接条件設定器２が溶接電源装置３に接続された場合、接続検出部８から出力された接続検出信号が溶接条件記憶部１３に入力される。これにより、溶接条件設定器２と溶接電源装置３が接続状態であることを溶接条件記憶部１３が認識する。すなわち、接続状態であることを溶接電源装置３が認識する。そして、溶接条件設定器２の溶接条件変更可否設定部５により溶接条件変更を可に設定している場合を考える。この場合には、溶接条件設定器２の第１の溶接条件設定部４および溶接電源装置３の第２の溶接条件設定部９の少なくともいずれかにより、溶接条件記憶部１３に記憶されている溶接条件の変更が許可される状態となっている。そのため、第１の溶接条件設定部４および第２の溶接条件設定部９の少なくともいずれかにより溶接条件を変更すると、変更された溶接条件は有効となる。そして、溶接条件記憶部１３は、第１の溶接条件設定部４および第２の溶接条件設定部９の少なくともいずれかにより変更された変更内容を逐次溶接条件記憶部１３に記憶していく。
【００２８】
このように、溶接条件設定器２が溶接電源装置３に接続されており、溶接条件変更可否設定部５により溶接条件の変更が可に設定されている場合、溶接作業者による溶接条件の変更を行うことができる。
【００２９】
このように変更された溶接条件は、溶接条件記憶部１３に記憶され、図1に示す溶接装置１が溶接を行う時には、溶接条件記憶部１３で記憶された溶接条件で溶接が行われる。すなわち、溶接制御部１４は、溶接出力についての溶接電流および溶接電圧の情報を溶接電流検出部１７および溶接電圧検出部１８から取得し、上述の溶接条件に基づいて所定の溶接出力となるように電力変換部１６を制御して、溶接出力部２０から所定の溶接出力を出力する。
【００３０】
なお、溶接条件変更可否設定部５は、例えば、押しボタンスイッチやトグルスイッチのような安価な部材で構成されている。そして、押しボタンスイッチの場合、例えば押下を繰り返すことで、溶接条件の変更の可と不可の設定が切り替わる。また、トグルスイッチの場合、例えばレバーを倒す方向を変更することにより、溶接条件の変更の可と不可の設定が切り替わる。
【００３１】
次に、溶接条件設定器２が溶接電源装置３に接続されており、溶接条件設定器２の溶接条件変更可否設定部５により、溶接条件変更が不可に設定されている場合について説明する。
【００３２】
溶接条件設定器２を溶接電源装置３に装着した場合、すなわち、溶接条件設定器２が溶接電源装置３に電気的に接続された場合、接続検出部８から出力された接続検出信号が溶接条件記憶部１３に入力される。これにより、溶接条件設定器２が溶接電源装置３に接続されている状態であることを溶接電源装置３が認識する。そして、溶接条件変更可否設定部５により溶接条件の変更が不可に設定されている場合、第１の溶接条件設定部４および第２の溶接条件設定部９の少なくともいずれかによる、溶接条件記憶部１３に記憶されている溶接条件の変更を不可とする状態になっている。そのため、第１の溶接条件設定部４および第２の溶接条件設定部９の少なくともいずれかによる溶接条件の変更内容は無効となる。溶接条件記憶部１３は、溶接条件記憶信号を保持し、第１の溶接条件設定部４および第２の溶接条件設定部９の少なくともいずれかにより溶接条件の変更を行おうとしても、溶接条件の変更は許可されず、溶接条件の変更は行われない。
【００３３】
この場合は、一時的に溶接条件を固定、すなわち、変更不可とした状態に相当する。そして、溶接条件設定器２が溶接電源装置３に接続されており、溶接条件設定器２の溶接条件変更可否設定部５により溶接条件変更が不可に設定されている場合、溶接作業者による溶接条件の変更が不可となっている。
【００３４】
なお、溶接条件の固定解除は、溶接条件変更可否設定部５により、溶接条件の変更が不可の状態から溶接条件の変更が可の状態へ変更することで対応可能となる。溶接条件変更可否設定部５が例えば押しボタンスイッチである場合、溶接条件の変更が不可の状態から、押しボタンスイッチを押下することにより、溶接条件の変更が可の状態に切り替わる。
【００３５】
次に、溶接条件設定器２を溶接電源装置３から分離している場合、すなわち、溶接条件設定器２が溶接電源装置３に接続されていない場合について説明する。
【００３６】
溶接条件設定器２を溶接電源装置３から分離している場合、溶接条件設定器２を溶接電源装置３に接続していることを示す接続検出信号が接続検出部８から溶接条件記憶部１３に入力されない。そのため、溶接条件設定器２が溶接電源装置３から分離されている状態であることを溶接条件記憶部１３が認識する。すなわち、溶接条件記憶部１３を有する溶接電源装置３が認識する。この場合、溶接条件記憶部１３は、溶接電源装置３に設けられている第２の溶接条件設定部９による溶接条件記憶部１３に記憶されている溶接条件の変更を不可とする。そのため、第２の溶接条件設定部９による溶接条件の変更内容は無効となり、溶接条件記憶部１３は溶接条件記憶信号を保持し、溶接条件の変更は行われない。
【００３７】
実施の形態１の溶接装置１では、溶接電源装置３から溶接条件設定器２を分離することで、溶接条件設定器２の第１の溶接条件設定部４が溶接電源装置３に接続されなくなる。したがって、第１の溶接条件設定部４は、物理的に溶接装置１に含まれなくなる。このことから、溶接作業者が第１の溶接条件設定部４を用いて溶接条件の変更を行うことができない。
【００３８】
なお、溶接電源装置３にも溶接条件の設定や変更を行うための第２の溶接条件設定部９が設けられている。しかし、接続検出部８が、溶接条件設定器２が溶接電源装置３に接続されていないことを示す信号を溶接条件記憶部１３に出力している場合、溶接条件記憶部１３は、第２の溶接条件設定部９から溶接条件を変更する信号が出力されても、溶接条件の変更を行わないようになっている。
【００３９】
すなわち、溶接条件設定器２が溶接電源装置３に接続されていない場合、溶接電源装置３に設けられた第２の溶接条件設定部９による溶接条件記憶部１３に記憶されている溶接条件の変更は不可である。また、溶接条件設定器２は溶接電源装置３に接続されていないので、溶接条件設定器２に設けられた第１の溶接条件設定部４による溶接条件記憶部１３に記憶されている溶接条件の変更も行うことができない。このように、溶接条件設定器２が溶接電源装置３に接続されていない場合、溶接条件変更可否設定部５の可否の設定に関わらず、溶接条件記憶部１３に記憶されている溶接条件の変更を行うことができないようになっている。
【００４０】
このように、溶接条件設定器２と溶接電源装置３の電気的な接続がないという状態を認識する信号を検出するだけで、溶接条件の変更を許可したくない場合には溶接条件が変更されることを防ぐことができる。
【００４１】
なお、溶接条件設定器２が溶接電源装置３に接続されていない場合でも、エラーとはならず、溶接を行うことが可能である。従って、溶接装置１は、溶接条件記憶部１３に記憶している溶接条件でのみ溶接することができる状況となる。
【００４２】
ここで、従来の溶接装置１００は、溶接条件設定器２と溶接電源装置３を接続した状態で溶接を行うことができる仕様となっており、溶接条件設定器２と溶接電源装置３の接続を解除すると、溶接を行うことができない。
【００４３】
しかし、実施の形態１の溶接装置１によれば、溶接条件設定器２と溶接電源装置３の接続を解除しても溶接を行うことが可能である。また、溶接条件設定器２と溶接電源装置３の接続を解除することで溶接条件記憶部１３に記憶されている溶接条件の変更を不可とし、溶接条件記憶部１３に記憶されている溶接条件のみで溶接を行うことができる。
【００４４】
このことから、同一溶接条件で溶接を行う場合や、溶接作業者による溶接条件の変更を認めない場合に対応した溶接装置１を実現することができる。
【００４５】
すなわち、本実施の形態１の溶接装置１は、溶接電源装置３と溶接電源装置３が行う溶接に関する条件を設定するための溶接条件設定器２とを備え、溶接条件設定器２は溶接電源装置３に対して着脱可能である。溶接条件設定器２は、溶接電源装置３に対して溶接条件を設定するための第１の溶接条件設定部４を備える。溶接電源装置３は、接続検出部８と、第２の溶接条件設定部９と、溶接条件記憶部１３と、を備える。ここで、接続検出部８は、溶接条件設定器２が溶接電源装置３に接続されているか否かを検出する。第２の溶接条件設定部９は、溶接条件を設定する。溶接条件記憶部１３は、第１の溶接条件設定部４および第２の溶接条件設定部９の少なくともいずれかで設定された溶接条件を記憶する。溶接条件設定器２および溶接電源装置３の少なくともいずれかは、溶接条件記憶部１３に記憶された溶接条件の変更の可否を設定するための溶接条件変更可否設定部５を備える。溶接電源装置３は、接続検出部８と溶接条件変更可否設定部５の出力に基づいて第１の溶接条件設定部４および第２の溶接条件設定部９の少なくともいずれかによる、溶接条件記憶部１３に記憶された溶接条件の変更の可否を決定する。
【００４６】
この構成により、接続検出部８が出力する接続検出信号と、溶接条件変更可否設定部５が出力する溶接条件の変更の可否信号の組み合わせにより、溶接条件の変更の許可または不許可を、簡単かつ安価に実現できる。すなわち、簡単な構造で、かつ安価に、溶接条件の固定および固定解除を行う溶接装置１を実現できる。
【００４７】
そして、溶接条件設定器２を溶接電源装置３に接続した状態で使用する場合、溶接条件変更可否設定部５の設定のみで溶接条件の変更の可否を設定できる。溶接作業者が手元に溶接条件設定器２を置きながら作業を行う場合でも、溶接条件の変更の可否を容易に選択でき、一時的かつ簡易的な溶接条件の固定が可能となる。そして、溶接条件の変更を不可に設定すると、溶接作業者が誤って溶接条件設定器２に触ってしまった場合でも、溶接条件が変更されてしまうことを防ぐことができる。
【００４８】
また、実施の形態１の溶接装置１によれば、溶接条件設定器２が溶接電源装置３から分離された場合でも、溶接条件記憶部１３に記憶されている溶接条件に基づいて溶接を行うことができる。そのため、溶接電源装置３から溶接条件設定器２を誤って抜いてしまった場合や、溶接条件設定器２と溶接電源装置３との接続線が断線したような場合等でも、溶接条件を保持して溶接を行うことが可能である。これにより、溶接作業の中断や溶接不良を防ぎ、溶接作業の中断や溶接不良による部品ロス等を抑制することができる。
【００４９】
また、溶接条件設定器２を溶接電源装置３から分離した状態でも、溶接条件記憶部１３に記憶された溶接条件で溶接ができる。このことから、溶接電源装置３と同数の溶接条件設定器２を必要とせず、溶接条件設定器２の数を溶接電源装置３の数より少なくすることができ、経済的にも効果が大である。
【００５０】
なお、溶接条件設定器２と溶接電源装置３が接続されていない状態から、溶接条件設定器２と溶接電源装置３を接続した場合には、溶接条件変更可否設定部５の設定内容に関わらず、接続検出部８の出力信号に基づいて、溶接条件記憶部１３に記憶されている溶接条件の変更を不可とするようにしてもよい。このようにすることで、溶接条件設定器２を溶接電源装置３に接続した時に誤って溶接条件が変更されることがなく、誤操作を防止することができる。ここで、溶接条件の変更の不可の解除は、溶接条件変更可否設定部５が不可に設定されている場合には、可に設定することにより解除することできる。また、溶接条件変更可否設定部５が可に設定されている場合には、不可に設定した後に可に設定することにより解除することができる。
【００５１】
なお、溶接装置１の溶接電源装置３は、図示しないブレーカ等の起動スイッチを備える。溶接電源装置３の起動時には、溶接条件変更可否設定部５の設定内容に関わらず、起動スイッチの出力信号に基づいて、溶接条件記憶部１３に記憶されている溶接条件の変更を不可とするようにしてもよい。ここで、記憶されている溶接条件は、第１の溶接条件設定部４および第２の溶接条件設定部９の少なくともいずれかにより記憶されたものである。
【００５２】
このようにすることで、溶接装置１の起動時に溶接作業者が無意識に溶接条件設定器２に当たってしまう等して溶接条件が変更される等の誤操作を防止することができる。ここで、溶接条件の変更の不可の解除は、溶接条件変更可否設定部５が不可に設定されている場合には、可に設定することにより解除することできる。また、溶接条件変更可否設定部５が可に設定されている場合には、不可に設定した後に可に設定することにより解除することができる。
【００５３】
なお、溶接条件変更可否設定部５は、図１に示すように溶接条件設定器２のみに設けるようにしてもよいし、図２に示すように溶接電源装置３のみに設けるようにしてもよい。また、図３に示すように溶接条件設定器２と溶接電源装置３の両方に設けるようにしてもよい。図１の溶接装置１、図２の溶接装置２１および図３の溶接装置３１は、溶接条件変更可否設定部５が設けられた位置や個数が異なるだけで、溶接装置としての機能や基本的な動作は同じである。
【００５４】
なお、溶接条件設定器２に設けられた第１の溶接条件設定部４および溶接電源装置３に設けられた第２の溶接条件設定部９にある各設定部は、第１の溶接条件設定部４と第２の溶接条件設定部９のどちらにあってもよい。但し、少なくとも１つの設定部は、溶接電源装置３に設けられた第２の溶接条件設定部９に設けるようにしてもよい。
【００５５】
例えば、溶接条件設定器２に設けられた第１の溶接条件設定部４は、図１から図３に示すように溶接電流と溶接電圧を設定する機能を有し、溶接電源装置３に設けられた第２の溶接条件設定部９は、溶接電流と溶接電圧を除く溶接条件を設定する機能を有するようにしてもよい。このような構成により、溶接条件設定器２の機能を絞ることで溶接条件設定器２の小型化が図れ、溶接作業者が溶接条件設定器２を持って運ぶ際の利便性を高めることができる。
【００５６】
また、本発明の溶接装置１、２１、３１において、溶接電源装置３は、溶接出力を行う溶接出力部２０と、溶接条件記憶部１３に記憶された溶接条件に基づいて溶接出力部２０を制御する溶接制御部１４を備えている。溶接電源装置３は、溶接条件設定器２が溶接電源装置３から取り外された場合には、溶接条件変更可否設定部５の設定内容に関わらず、溶接条件記憶部１３に記憶されている溶接条件の変更を不可として保持する。また、溶接電源装置３は、溶接条件設定器２が溶接電源装置３から取り外された場合でも、溶接条件記憶部１３に記憶されている溶接条件に基づいて溶接を行う構成としてもよい。
【００５７】
この構成により、溶接条件が変更されることを防ぐと共に、溶接が中断されることなく記憶されている溶接条件で溶接を行うことができる。
【００５８】
また、溶接条件設定器２が溶接電源装置３に接続されており、かつ、溶接条件変更可否設定部５が溶接条件の変更可に設定されている場合を考える。この場合には、第１の溶接条件設定部４および第２の溶接条件設定部９の少なくともいずれかによる、溶接条件記憶部１３に記憶されている溶接条件の変更を可とする。また、溶接条件設定器２が溶接電源装置３に接続されており、かつ、溶接条件変更可否設定部５が溶接条件の変更不可に設定されている場合を考える。この場合には、第１の溶接条件設定部４および第２の溶接条件設定部９の少なくともいずれかによる、溶接条件記憶部１３に記憶されている溶接条件の変更を不可とする。また、溶接条件設定器２が溶接電源装置３に接続されていない場合には、第１の溶接条件設定部４および第２の溶接条件設定部９の少なくともいずれかによる、溶接条件記憶部１３に記憶されている溶接条件の変更を不可とする構成としてもよい。
【００５９】
この構成により、接続検出部８と溶接条件変更可否設定部５の出力に基づいて第１の溶接条件設定部４および第２の溶接条件設定部９の少なくともいずれかによる溶接条件記憶部１３に記憶された溶接条件の変更の可否を決定することができる。また、溶接条件の変更の不可を設定することで、溶接条件の変更を許可したくない場合には溶接条件が変更されることを防ぐことができる。このことにより、簡単な構造で、かつ安価に、溶接条件の固定および固定解除を行う溶接装置を実現することができる。
【００６０】
また、溶接条件設定器２と溶接電源装置３が接続されていない状態から、溶接条件設定器２と溶接電源装置３を接続した場合を考える。この場合には、溶接条件変更可否設定部５の設定内容に関わらず、第１の溶接条件設定部４および第２の溶接条件設定部９の少なくともいずれかによる、溶接条件記憶部１３に記憶されている溶接条件の変更を不可とする構成としてもよい。
【００６１】
この構成により、溶接条件の変更を許可したくない場合には溶接条件が変更されることを防ぐことができる。このことにより、簡単な構造で、かつ安価に、溶接条件の固定を行う溶接装置を実現することができる。
【産業上の利用可能性】
【００６２】
本発明の溶接装置は、溶接条件設定器と溶接電源装置との接続状態と、溶接条件変更可否設定部の設定内容との組み合わせにより、溶接条件の固定または固定解除、すなわち、溶接条件の変更の可否を簡単に設定することができる。したがって、溶接条件の変更を許可したくない場合等の作業が生じる溶接作業があっても、安全で効率的に溶接できる溶接装置を実現でき、産業上有用である。
【符号の説明】
【００６３】
１，２１，３１    溶接装置
２    溶接条件設定器
３    溶接電源装置
４    第１の溶接条件設定部
５    溶接条件変更可否設定部
６    溶接電流設定部
７    溶接電圧設定部
８    接続検出部
９    第２の溶接条件設定部
１０    溶接法設定部
１１    一元・個別設定部
１２    ワイヤ設定部
１３    溶接条件記憶部
１４    溶接制御部
１５    商用電源
１６    電力変換部
１７    溶接電流検出部
１８    溶接電圧検出部
１９    キースイッチ
２０    溶接出力部
【図１】
2012157157.tif 000003
【図２】
2012157157.tif 000004
【図３】
2012157157.tif 000005
【図４】
2012157157.tif 000006
【手続補正書】
【提出日】平成24年8月6日(2012.8.6)
【手続補正１】
【補正対象書類名】明細書
【補正対象項目名】全文
【補正方法】変更
【補正の内容】
【発明の詳細な説明】
【技術分野】
【０００１】
本発明は、溶接電源装置と、溶接電源装置が行う溶接に関する条件を設定するための溶接条件設定器と、を備えた溶接装置において、溶接電源装置に記憶されている溶接条件の固定あるいは固定の解除を行う、すなわち、溶接条件の変更の可否を行う溶接装置に関する。
【背景技術】
【０００２】
アーク溶接を行う場合、溶接対象物であるワークに適した溶接条件を設定する必要がある。多品種少量生産の被溶接物を溶接する場合、ワークが頻繁に変更され、ワークが変更される毎に溶接条件を設定する必要がある。このような場合、溶接作業者が溶接条件設定器を手元に置きながら溶接を行う場合があり、溶接作業者が誤って溶接条件設定器に触れてしまうと、設定している溶接条件が変化してしまう場合がある。
【０００３】
また、溶接ロボット等を用いた自動の溶接装置を使用する場合、同形状の複数のワークに対して、同一の溶接条件で溶接作業を繰り返し行うことが主となる。この場合、溶接条件を固定して溶接が行われることになる。
【０００４】
また、溶接品質の安定という観点等から、溶接作業者が溶接条件を変更できないようにする、すなわち、溶接条件を固定する場合もある。溶接装置における従来の溶接条件の固定方法としては、溶接装置にキースイッチを設け、キースイッチが入らなければ溶接条件の変更を不許可とするものや、溶接装置にパスワード入力部を設け、パスワードが入力されなければ、溶接条件の変更を不許可とするもの等がある。
【０００５】
図４は、従来の溶接装置１の概略構成を示す図である。図４において、溶接装置１は、溶接条件を設定するための溶接条件設定器２と、溶接条件設定器２と接続され溶接出力を行うための溶接電源装置３を備えている。溶接電源装置３には、所定の位置に、溶接条件の固定または固定の解除、すわわち、溶接条件の変更の不許可または許可を設定するためのキースイッチ１９が設けられている。
【０００６】
次に、図４を用いて、溶接装置１００の動作について説明する。溶接電源装置３は、単相または３相の商用電源１５から電力を入力し、電力変換部１６においてインバータ制御等の出力制御を行い、出力は、溶接に適した溶接電圧や溶接電流に変換して出力する。溶接電流は、溶接電流検出部１７により検出され、溶接電流検出信号が溶接制御部１４に出力される。また、溶接電圧は、溶接電圧検出部１８により検出され、溶接電圧検出信号が溶接制御部１４に出力される。溶接制御部１４は、溶接電流検出信号と、溶接電圧検出信号と、後述する溶接条件設定信号に基づいて、溶接出力の制御に必要な溶接制御信号を生成し、この溶接制御信号を電力変換部１６に出力する。電力変換部１６は、溶接制御信号を入力し、設定された溶接条件に適した溶接出力となるように溶接出力の制御を行う。
【０００７】
次に、溶接条件の設定方法について説明する。溶接条件の設定時は、キースイッチ１９により、溶接条件の固定を解除した状態としておく。溶接条件設定器２の溶接電流設定部６は、溶接電流設定値を設定するためのものである。設定された溶接電流設定値を示す溶接電流設定信号は、溶接電源装置３の溶接条件記憶部１３に出力される。溶接電圧設定部７は、溶接電圧設定値を設定するためのものである。設定された溶接電圧設定値を示す溶接電圧設定信号は、溶接電源装置３の溶接条件記憶部１３に出力される。また、溶接電源装置３の溶接法設定部１０により、ＣＯ２溶接（炭酸ガスアーク溶接）やＭＡＧ溶接等の溶接法を設定し、溶接法設定信号が溶接条件記憶部１３に出力される。また、溶接電源装置３の一元・個別設定部１１により、一元または個別を設定し、一元・個別設定信号が溶接条件記憶部１３に出力される。また、溶接電源装置３のワイヤ設定部１２により、ソリッドワイヤやフラックスコアードワイヤ等のワイヤ種類やワイヤ径等を設定し、ワイヤ設定信号が溶接条件記憶部１３に出力される。溶接条件記憶部１３は、溶接法設定信号と、一元・個別設定信号と、ワイヤ設定信号と、溶接電流設定信号と、溶接電圧設定信号等に基づいて溶接条件を生成し、溶接条件設定信号として溶接制御部１４に出力する。
【０００８】
ここで、溶接電源装置３のキースイッチ１９は、鍵（キー）が挿入された状態で回すスイッチである。キースイッチ１９を条件固定の位置とすることで、キースイッチ指令信号が溶接条件記憶部１３に出力され、キースイッチ１９により溶接条件が固定された状態となる。キースイッチ１９により溶接条件を固定状態とした後、キースイッチ１９の鍵を抜くことで、キースイッチ１９の操作ができなくなり、溶接条件の固定解除が不可能となる。そして、キースイッチ１９により溶接条件を固定状態としている場合、溶接条件記憶部１３は、溶接条件を変更するための全ての入力を受け付けなくなり、溶接条件の変更が不許可となる。なお、キースイッチ１９に鍵を差し込んで回し、溶接条件の固定を解除する位置にすると、キースイッチ指令信号の出力が停止され、キースイッチ１９が溶接条件固定解除の状態となる。
【０００９】
このように、従来の溶接装置１００として、キースイッチ１９の切り替えにより、溶接作業者に対して一時的に溶接条件の変更を不許可とし、また、キースイッチ１９の鍵を抜くことで、溶接作業者の溶接条件変更を禁止するというものが知られている（例えば、特許文献１参照）。
【００１０】
しかし、従来のキースイッチ１９による溶接条件の固定を行う場合、キースイッチ１９自体が高価であることや、複数の溶接装置１００を所有するユーザの場合には複数のキーを管理する必要が生じて面倒となる等の課題がある。
【００１１】
また、パスワードにより溶接条件の固定を行う場合、溶接電源装置３にパスワードの設定部や表示部等を設ける必要があり、ユーザインターフェースが複雑になるといった課題がある。
【先行技術文献】
【特許文献】
【００１２】
【特許文献１】特開２００７−２１０００７号公報
【発明の概要】
【００１３】
本発明は、簡単な構造で、かつ安価に、溶接条件の固定および固定解除を行う溶接装置を提供する。
【００１４】
上記課題を解決するために、本発明の溶接装置は、溶接電源装置と上記溶接電源装置が行う溶接に関する条件を設定するための溶接条件設定器とを備えた溶接装置であって、上記溶接条件設定器は上記溶接電源装置に対して着脱可能である。上記溶接条件設定器は、上記溶接電源装置に対して溶接条件を設定するための第１の溶接条件設定部を備える。上記溶接電源装置は、上記溶接条件設定器が上記溶接電源装置に接続されているか否かを検出する接続検出部と、溶接条件を設定するための第２の溶接条件設定部と、上記第１の溶接条件設定部および上記第２の溶接条件設定部の少なくともいずれかで設定された溶接条件を記憶する溶接条件記憶部を備える。上記溶接条件設定器および上記溶接電源装置の少なくともいずれかは、上記溶接条件記憶部に記憶された溶接条件の変更の可否を設定するための溶接条件変更可否設定部を備える。上記溶接電源装置は、上記接続検出部と上記溶接条件変更可否設定部の出力に基づいて上記第１の溶接条件設定部および上記第２の溶接条件設定部の少なくともいずれかによる上記溶接条件記憶部に記憶された溶接条件の変更の可否を決定する構成からなる。
【００１５】
この構成により、接続検出部と溶接条件変更可否設定部の出力に基づいて第１の溶接条件設定部および第２の溶接条件設定部の少なくともいずれかによる溶接条件記憶部に記憶された溶接条件の変更の可否を決定することができる。また、溶接条件の変更の不可を設定することで、溶接条件の変更を許可したくない場合には溶接条件が変更されることを防ぐことができる。このことにより、簡単な構造で、かつ安価に、溶接条件の固定および固定解除を行う溶接装置を実現することができる。
【図面の簡単な説明】
【００１６】
【図１】図１は、本発明の実施の形態１における溶接装置の概略構成を示す図である。
【図２】図２は、本発明の実施の形態１における別の溶接装置の概略構成を示す図である。
【図３】図３は、本発明の実施の形態１におけるさらに別の溶接装置の概略構成を示す図である。
【図４】図４は、従来の溶接装置の概略構成を示す図である。
【発明を実施するための形態】
【００１７】
以下、本発明の一実施の形態について、図面を参照しながら説明する。以下の図面においては、同じ構成要素については同じ符号を付しているので説明を省略する場合がある。
【００１８】
（実施の形態１）
図１は、本発明の実施の形態１における溶接装置１の概略構成を示す図である。  図２は、本発明の実施の形態１における別の溶接装置２１の概略構成を示す図である。図２の溶接装置２１は、溶接条件変更可否設定部５が溶接電源装置３に含まれているところが、溶接条件変更可否設定部５が溶接条件設定器２に含まれる図１の溶接装置１と異なる。図３は、本発明の実施の形態１における別の溶接装置３１の概略構成を示す図である。図３の溶接装置３１は、溶接条件変更可否設定部５が溶接条件設定器２と溶接電源装置３にそれぞれ含まれているところが、図１の溶接装置１および図２の溶接装置２１と異なる。
【００１９】
図１に示す溶接装置１は、溶接出力を行う溶接電源装置３と、溶接電源装置３が行う溶接に関する溶接条件等を設定するための溶接条件設定器２と、を備えている。なお、溶接条件設定器２は、コネクタ等により溶接電源装置３に対して着脱可能である。
【００２０】
溶接条件設定器２は、溶接条件を設定するための第１の溶接条件設定部４と、溶接条件の変更の可否を設定し溶接条件可否設定信号を溶接電源装置３の後述する溶接条件記憶部１３に出力する溶接条件変更可否設定部５を備えている。そして、第１の溶接条件設定部４は、溶接電流を設定し溶接電流設定信号を溶接条件記憶部１３に出力する溶接電流設定部６と、溶接電圧を設定し溶接電圧設定信号を溶接条件記憶部１３に出力する溶接電圧設定部７を備えている。
【００２１】
溶接電源装置３は、接続検出部８と、第２の溶接条件設定部９と、溶接条件記憶部１３を備えている。
【００２２】
接続検出部８は、溶接条件設定器２が溶接電源装置３に接続されているか否か、すなわち、溶接条件設定器２が溶接電源装置３に接続されているか否かを検出し、接続検出信号を溶接条件記憶部１３に出力するものである。なお、溶接条件設定器２と溶接電源装置３の接続の検出は、例えば、溶接条件設定器２と溶接電源装置３が電気的に接続されているか否かを検出することにより行われる。
【００２３】
第２の溶接条件設定部９は、溶接法設定部１０と、一元・個別設定部１１と、ワイヤ設定部１２と、を備えている。ここで、溶接法設定部１０は、溶接法を設定するためのものである。一元・個別設定部１１は、ＣＯ２溶接やＭＡＧ溶接等の溶接法設定信号を溶接条件記憶部１３に出力すると、溶接条件の一元または個別を設定するためのものであり、一元・個別選択信号を溶接条件記憶部１３に出力する。ワイヤ設定部１２は、ソリッドワイヤやフラックスコアードワイヤ等のワイヤ種類やワイヤ径を設定するためのものであり、ワイヤ設定信号を溶接条件記憶部１３に出力する。
【００２４】
溶接条件記憶部１３は、溶接法設定信号と、一元・個別選択信号と、ワイヤ設定信号と、溶接電流設定信号と、溶接電圧設定信号等に基づいて溶接条件を生成し、溶接条件設定信号として溶接制御部１４に出力する。
【００２５】
以上のように構成された溶接装置１について、その動作を説明する。
【００２６】
先ず、溶接条件設定器２が溶接電源装置３に接続されており、溶接条件変更可否設定部５により溶接条件の変更が可に設定されている場合について説明する。
【００２７】
溶接条件設定器２を溶接電源装置３に装着した場合、すなわち、溶接条件設定器２が溶接電源装置３に接続された場合、接続検出部８から出力された接続検出信号が溶接条件記憶部１３に入力される。これにより、溶接条件設定器２と溶接電源装置３が接続状態であることを溶接条件記憶部１３が認識する。すなわち、接続状態であることを溶接電源装置３が認識する。そして、溶接条件設定器２の溶接条件変更可否設定部５により溶接条件変更を可に設定している場合を考える。この場合には、溶接条件設定器２の第１の溶接条件設定部４および溶接電源装置３の第２の溶接条件設定部９の少なくともいずれかにより、溶接条件記憶部１３に記憶されている溶接条件の変更が許可される状態となっている。そのため、第１の溶接条件設定部４および第２の溶接条件設定部９の少なくともいずれかにより溶接条件を変更すると、変更された溶接条件は有効となる。そして、溶接条件記憶部１３は、第１の溶接条件設定部４および第２の溶接条件設定部９の少なくともいずれかにより変更された変更内容を逐次溶接条件記憶部１３に記憶していく。
【００２８】
このように、溶接条件設定器２が溶接電源装置３に接続されており、溶接条件変更可否設定部５により溶接条件の変更が可に設定されている場合、溶接作業者による溶接条件の変更を行うことができる。
【００２９】
このように変更された溶接条件は、溶接条件記憶部１３に記憶され、図1に示す溶接装置１が溶接を行う時には、溶接条件記憶部１３で記憶された溶接条件で溶接が行われる。すなわち、溶接制御部１４は、溶接出力についての溶接電流および溶接電圧の情報を溶接電流検出部１７および溶接電圧検出部１８から取得し、上述の溶接条件に基づいて所定の溶接出力となるように電力変換部１６を制御して、溶接出力部２０から所定の溶接出力を出力する。
【００３０】
なお、溶接条件変更可否設定部５は、例えば、押しボタンスイッチやトグルスイッチのような安価な部材で構成されている。そして、押しボタンスイッチの場合、例えば押下を繰り返すことで、溶接条件の変更の可と不可の設定が切り替わる。また、トグルスイッチの場合、例えばレバーを倒す方向を変更することにより、溶接条件の変更の可と不可の設定が切り替わる。
【００３１】
次に、溶接条件設定器２が溶接電源装置３に接続されており、溶接条件設定器２の溶接条件変更可否設定部５により、溶接条件変更が不可に設定されている場合について説明する。
【００３２】
溶接条件設定器２を溶接電源装置３に装着した場合、すなわち、溶接条件設定器２が溶接電源装置３に電気的に接続された場合、接続検出部８から出力された接続検出信号が溶接条件記憶部１３に入力される。これにより、溶接条件設定器２が溶接電源装置３に接続されている状態であることを溶接電源装置３が認識する。そして、溶接条件変更可否設定部５により溶接条件の変更が不可に設定されている場合、第１の溶接条件設定部４および第２の溶接条件設定部９の少なくともいずれかによる、溶接条件記憶部１３に記憶されている溶接条件の変更を不可とする状態になっている。そのため、第１の溶接条件設定部４および第２の溶接条件設定部９の少なくともいずれかによる溶接条件の変更内容は無効となる。溶接条件記憶部１３は、溶接条件記憶信号を保持し、第１の溶接条件設定部４および第２の溶接条件設定部９の少なくともいずれかにより溶接条件の変更を行おうとしても、溶接条件の変更は許可されず、溶接条件の変更は行われない。
【００３３】
この場合は、一時的に溶接条件を固定、すなわち、変更不可とした状態に相当する。そして、溶接条件設定器２が溶接電源装置３に接続されており、溶接条件設定器２の溶接条件変更可否設定部５により溶接条件変更が不可に設定されている場合、溶接作業者による溶接条件の変更が不可となっている。
【００３４】
なお、溶接条件の固定解除は、溶接条件変更可否設定部５により、溶接条件の変更が不可の状態から溶接条件の変更が可の状態へ変更することで対応可能となる。溶接条件変更可否設定部５が例えば押しボタンスイッチである場合、溶接条件の変更が不可の状態から、押しボタンスイッチを押下することにより、溶接条件の変更が可の状態に切り替わる。
【００３５】
次に、溶接条件設定器２を溶接電源装置３から分離している場合、すなわち、溶接条件設定器２が溶接電源装置３に接続されていない場合について説明する。
【００３６】
溶接条件設定器２を溶接電源装置３から分離している場合、溶接条件設定器２を溶接電源装置３に接続していることを示す接続検出信号が接続検出部８から溶接条件記憶部１３に入力されない。そのため、溶接条件設定器２が溶接電源装置３から分離されている状態であることを溶接条件記憶部１３が認識する。すなわち、溶接条件記憶部１３を有する溶接電源装置３が認識する。この場合、溶接条件記憶部１３は、溶接電源装置３に設けられている第２の溶接条件設定部９による溶接条件記憶部１３に記憶されている溶接条件の変更を不可とする。そのため、第２の溶接条件設定部９による溶接条件の変更内容は無効となり、溶接条件記憶部１３は溶接条件記憶信号を保持し、溶接条件の変更は行われない。
【００３７】
実施の形態１の溶接装置１では、溶接電源装置３から溶接条件設定器２を分離することで、溶接条件設定器２の第１の溶接条件設定部４が溶接電源装置３に接続されなくなる。したがって、第１の溶接条件設定部４は、物理的に溶接装置１に含まれなくなる。このことから、溶接作業者が第１の溶接条件設定部４を用いて溶接条件の変更を行うことができない。
【００３８】
なお、溶接電源装置３にも溶接条件の設定や変更を行うための第２の溶接条件設定部９が設けられている。しかし、接続検出部８が、溶接条件設定器２が溶接電源装置３に接続されていないことを示す信号を溶接条件記憶部１３に出力している場合、溶接条件記憶部１３は、第２の溶接条件設定部９から溶接条件を変更する信号が出力されても、溶接条件の変更を行わないようになっている。
【００３９】
すなわち、溶接条件設定器２が溶接電源装置３に接続されていない場合、溶接電源装置３に設けられた第２の溶接条件設定部９による溶接条件記憶部１３に記憶されている溶接条件の変更は不可である。また、溶接条件設定器２は溶接電源装置３に接続されていないので、溶接条件設定器２に設けられた第１の溶接条件設定部４による溶接条件記憶部１３に記憶されている溶接条件の変更も行うことができない。このように、溶接条件設定器２が溶接電源装置３に接続されていない場合、溶接条件変更可否設定部５の可否の設定に関わらず、溶接条件記憶部１３に記憶されている溶接条件の変更を行うことができないようになっている。
【００４０】
このように、溶接条件設定器２と溶接電源装置３の電気的な接続がないという状態を認識する信号を検出するだけで、溶接条件の変更を許可したくない場合には溶接条件が変更されることを防ぐことができる。
【００４１】
なお、溶接条件設定器２が溶接電源装置３に接続されていない場合でも、エラーとはならず、溶接を行うことが可能である。従って、溶接装置１は、溶接条件記憶部１３に記憶している溶接条件でのみ溶接することができる状況となる。
【００４２】
ここで、従来の溶接装置１００は、溶接条件設定器２と溶接電源装置３を接続した状態で溶接を行うことができる仕様となっており、溶接条件設定器２と溶接電源装置３の接続を解除すると、溶接を行うことができない。
【００４３】
しかし、実施の形態１の溶接装置１によれば、溶接条件設定器２と溶接電源装置３の接続を解除しても溶接を行うことが可能である。また、溶接条件設定器２と溶接電源装置３の接続を解除することで溶接条件記憶部１３に記憶されている溶接条件の変更を不可とし、溶接条件記憶部１３に記憶されている溶接条件のみで溶接を行うことができる。
【００４４】
このことから、同一溶接条件で溶接を行う場合や、溶接作業者による溶接条件の変更を認めない場合に対応した溶接装置１を実現することができる。
【００４５】
すなわち、本実施の形態１の溶接装置１は、溶接電源装置３と溶接電源装置３が行う溶接に関する条件を設定するための溶接条件設定器２とを備え、溶接条件設定器２は溶接電源装置３に対して着脱可能である。溶接条件設定器２は、溶接電源装置３に対して溶接条件を設定するための第１の溶接条件設定部４を備える。溶接電源装置３は、接続検出部８と、第２の溶接条件設定部９と、溶接条件記憶部１３と、を備える。ここで、接続検出部８は、溶接条件設定器２が溶接電源装置３に接続されているか否かを検出する。第２の溶接条件設定部９は、溶接条件を設定する。溶接条件記憶部１３は、第１の溶接条件設定部４および第２の溶接条件設定部９の少なくともいずれかで設定された溶接条件を記憶する。溶接条件設定器２および溶接電源装置３の少なくともいずれかは、溶接条件記憶部１３に記憶された溶接条件の変更の可否を設定するための溶接条件変更可否設定部５を備える。溶接電源装置３は、接続検出部８と溶接条件変更可否設定部５の出力に基づいて第１の溶接条件設定部４および第２の溶接条件設定部９の少なくともいずれかによる、溶接条件記憶部１３に記憶された溶接条件の変更の可否を決定する。
【００４６】
この構成により、接続検出部８が出力する接続検出信号と、溶接条件変更可否設定部５が出力する溶接条件の変更の可否信号の組み合わせにより、溶接条件の変更の許可または不許可を、簡単かつ安価に実現できる。すなわち、簡単な構造で、かつ安価に、溶接条件の固定および固定解除を行う溶接装置１を実現できる。
【００４７】
そして、溶接条件設定器２を溶接電源装置３に接続した状態で使用する場合、溶接条件変更可否設定部５の設定のみで溶接条件の変更の可否を設定できる。溶接作業者が手元に溶接条件設定器２を置きながら作業を行う場合でも、溶接条件の変更の可否を容易に選択でき、一時的かつ簡易的な溶接条件の固定が可能となる。そして、溶接条件の変更を不可に設定すると、溶接作業者が誤って溶接条件設定器２に触ってしまった場合でも、溶接条件が変更されてしまうことを防ぐことができる。
【００４８】
また、実施の形態１の溶接装置１によれば、溶接条件設定器２が溶接電源装置３から分離された場合でも、溶接条件記憶部１３に記憶されている溶接条件に基づいて溶接を行うことができる。そのため、溶接電源装置３から溶接条件設定器２を誤って抜いてしまった場合や、溶接条件設定器２と溶接電源装置３との接続線が断線したような場合等でも、溶接条件を保持して溶接を行うことが可能である。これにより、溶接作業の中断や溶接不良を防ぎ、溶接作業の中断や溶接不良による部品ロス等を抑制することができる。
【００４９】
また、溶接条件設定器２を溶接電源装置３から分離した状態でも、溶接条件記憶部１３に記憶された溶接条件で溶接ができる。このことから、溶接電源装置３と同数の溶接条件設定器２を必要とせず、溶接条件設定器２の数を溶接電源装置３の数より少なくすることができ、経済的にも効果が大である。
【００５０】
なお、溶接条件設定器２と溶接電源装置３が接続されていない状態から、溶接条件設定器２と溶接電源装置３を接続した場合には、溶接条件変更可否設定部５の設定内容に関わらず、接続検出部８の出力信号に基づいて、溶接条件記憶部１３に記憶されている溶接条件の変更を不可とするようにしてもよい。このようにすることで、溶接条件設定器２を溶接電源装置３に接続した時に誤って溶接条件が変更されることがなく、誤操作を防止することができる。ここで、溶接条件の変更の不可の解除は、溶接条件変更可否設定部５が不可に設定されている場合には、可に設定することにより解除することできる。また、溶接条件変更可否設定部５が可に設定されている場合には、不可に設定した後に可に設定することにより解除することができる。
【００５１】
なお、溶接装置１の溶接電源装置３は、図示しないブレーカ等の起動スイッチを備える。溶接電源装置３の起動時には、溶接条件変更可否設定部５の設定内容に関わらず、起動スイッチの出力信号に基づいて、溶接条件記憶部１３に記憶されている溶接条件の変更を不可とするようにしてもよい。ここで、記憶されている溶接条件は、第１の溶接条件設定部４および第２の溶接条件設定部９の少なくともいずれかにより記憶されたものである。
【００５２】
このようにすることで、溶接装置１の起動時に溶接作業者が無意識に溶接条件設定器２に当たってしまう等して溶接条件が変更される等の誤操作を防止することができる。ここで、溶接条件の変更の不可の解除は、溶接条件変更可否設定部５が不可に設定されている場合には、可に設定することにより解除することできる。また、溶接条件変更可否設定部５が可に設定されている場合には、不可に設定した後に可に設定することにより解除することができる。
【００５３】
なお、溶接条件変更可否設定部５は、図１に示すように溶接条件設定器２のみに設けるようにしてもよいし、図２に示すように溶接電源装置３のみに設けるようにしてもよい。また、図３に示すように溶接条件設定器２と溶接電源装置３の両方に設けるようにしてもよい。図１の溶接装置１、図２の溶接装置２１および図３の溶接装置３１は、溶接条件変更可否設定部５が設けられた位置や個数が異なるだけで、溶接装置としての機能や基本的な動作は同じである。
【００５４】
なお、溶接条件設定器２に設けられた第１の溶接条件設定部４および溶接電源装置３に設けられた第２の溶接条件設定部９にある各設定部は、第１の溶接条件設定部４と第２の溶接条件設定部９のどちらにあってもよい。但し、少なくとも１つの設定部は、溶接電源装置３に設けられた第２の溶接条件設定部９に設けるようにしてもよい。
【００５５】
例えば、溶接条件設定器２に設けられた第１の溶接条件設定部４は、図１から図３に示すように溶接電流と溶接電圧を設定する機能を有し、溶接電源装置３に設けられた第２の溶接条件設定部９は、溶接電流と溶接電圧を除く溶接条件を設定する機能を有するようにしてもよい。このような構成により、溶接条件設定器２の機能を絞ることで溶接条件設定器２の小型化が図れ、溶接作業者が溶接条件設定器２を持って運ぶ際の利便性を高めることができる。
【００５６】
また、本発明の溶接装置１、２１、３１において、溶接電源装置３は、溶接出力を行う溶接出力部２０と、溶接条件記憶部１３に記憶された溶接条件に基づいて溶接出力部２０を制御する溶接制御部１４を備えている。溶接電源装置３は、溶接条件設定器２が溶接電源装置３から取り外された場合には、溶接条件変更可否設定部５の設定内容に関わらず、溶接条件記憶部１３に記憶されている溶接条件の変更を不可として保持する。また、溶接電源装置３は、溶接条件設定器２が溶接電源装置３から取り外された場合でも、溶接条件記憶部１３に記憶されている溶接条件に基づいて溶接を行う構成としてもよい。
【００５７】
この構成により、溶接条件が変更されることを防ぐと共に、溶接が中断されることなく記憶されている溶接条件で溶接を行うことができる。
【００５８】
また、溶接条件設定器２が溶接電源装置３に接続されており、かつ、溶接条件変更可否設定部５が溶接条件の変更可に設定されている場合を考える。この場合には、第１の溶接条件設定部４および第２の溶接条件設定部９の少なくともいずれかによる、溶接条件記憶部１３に記憶されている溶接条件の変更を可とする。また、溶接条件設定器２が溶接電源装置３に接続されており、かつ、溶接条件変更可否設定部５が溶接条件の変更不可に設定されている場合を考える。この場合には、第１の溶接条件設定部４および第２の溶接条件設定部９の少なくともいずれかによる、溶接条件記憶部１３に記憶されている溶接条件の変更を不可とする。また、溶接条件設定器２が溶接電源装置３に接続されていない場合には、第１の溶接条件設定部４および第２の溶接条件設定部９の少なくともいずれかによる、溶接条件記憶部１３に記憶されている溶接条件の変更を不可とする構成としてもよい。
【００５９】
この構成により、接続検出部８と溶接条件変更可否設定部５の出力に基づいて第１の溶接条件設定部４および第２の溶接条件設定部９の少なくともいずれかによる溶接条件記憶部１３に記憶された溶接条件の変更の可否を決定することができる。また、溶接条件の変更の不可を設定することで、溶接条件の変更を許可したくない場合には溶接条件が変更されることを防ぐことができる。このことにより、簡単な構造で、かつ安価に、溶接条件の固定および固定解除を行う溶接装置を実現することができる。
【００６０】
また、溶接条件設定器２と溶接電源装置３が接続されていない状態から、溶接条件設定器２と溶接電源装置３を接続した場合を考える。この場合には、溶接条件変更可否設定部５の設定内容に関わらず、第１の溶接条件設定部４および第２の溶接条件設定部９の少なくともいずれかによる、溶接条件記憶部１３に記憶されている溶接条件の変更を不可とする構成としてもよい。
【００６１】
この構成により、溶接条件の変更を許可したくない場合には溶接条件が変更されることを防ぐことができる。このことにより、簡単な構造で、かつ安価に、溶接条件の固定を行う溶接装置を実現することができる。
【産業上の利用可能性】
【００６２】
本発明の溶接装置は、溶接条件設定器と溶接電源装置との接続状態と、溶接条件変更可否設定部の設定内容との組み合わせにより、溶接条件の固定または固定解除、すなわち、溶接条件の変更の可否を簡単に設定することができる。したがって、溶接条件の変更を許可したくない場合等の作業が生じる溶接作業があっても、安全で効率的に溶接できる溶接装置を実現でき、産業上有用である。
【符号の説明】
【００６３】
１，２１，３１  溶接装置
２  溶接条件設定器
３  溶接電源装置
４  第１の溶接条件設定部
５  溶接条件変更可否設定部
６  溶接電流設定部
７  溶接電圧設定部
８  接続検出部
９  第２の溶接条件設定部
１０  溶接法設定部
１１  一元・個別設定部
１２  ワイヤ設定部
１３  溶接条件記憶部
１４  溶接制御部
１５  商用電源
１６  電力変換部
１７  溶接電流検出部
１８  溶接電圧検出部
１９  キースイッチ
２０  溶接出力部
【手続補正２】
【補正対象書類名】特許請求の範囲
【補正対象項目名】全文
【補正方法】変更
【補正の内容】
【特許請求の範囲】
【請求項１】
溶接電源装置と前記溶接電源装置が行う溶接に関する条件を設定するための溶接条件設定器とを備えた溶接装置であって、
前記溶接条件設定器は前記溶接電源装置に対して着脱可能であり、
前記溶接条件設定器は、
前記溶接電源装置に対して溶接条件を設定するための第１の溶接条件設定部を備え、
前記溶接電源装置は、
前記溶接条件設定器が前記溶接電源装置に接続されているか否かを検出する接続検出部と、
溶接条件を設定するための第２の溶接条件設定部と、
前記第１の溶接条件設定部および前記第２の溶接条件設定部の少なくともいずれかで設定された溶接条件を記憶する溶接条件記憶部を備え、
前記溶接条件設定器および前記溶接電源装置の少なくともいずれかは、前記溶接条件記憶部に記憶された溶接条件の変更の可否を設定するための溶接条件変更可否設定部を備え、
前記溶接電源装置は、前記接続検出部と前記溶接条件変更可否設定部の出力に基づいて前記第１の溶接条件設定部および前記第２の溶接条件設定部の少なくともいずれかによる前記溶接条件記憶部に記憶された溶接条件の変更の可否を決定する溶接装置。
【請求項２】
溶接条件設定器が溶接電源装置に接続されていない場合には、溶接条件変更可否設定部の設定内容に関わらず、前記溶接電源装置に設けられた第２の溶接条件設定部による溶接条件記憶部に記憶された溶接条件の変更を不可とする請求項１記載の溶接装置。
【請求項３】
溶接電源装置は、溶接出力を行う溶接出力部と、溶接条件記憶部に記憶された溶接条件に基づいて前記溶接出力部を制御する溶接制御部と、を備え、
前記溶接電源装置は、溶接条件設定器が前記溶接電源装置から取り外された場合には、溶接条件変更可否設定部の設定内容に関わらず、溶接条件記憶部に記憶されている溶接条件の変更を不可として保持し、
前記溶接電源装置は、前記溶接条件設定器が前記溶接電源装置から取り外された場合でも、前記溶接条件記憶部に記憶されている溶接条件に基づいて溶接を行う請求項１または２のいずれか１項に記載の溶接装置。
【請求項４】
溶接条件設定器が溶接電源装置に接続されており、かつ、溶接条件変更可否設定部が溶接条件の変更可に設定されている場合には、第１の溶接条件設定部および第２の溶接条件設定部の少なくともいずれかによる溶接条件記憶部に記憶されている溶接条件の変更を可とし、
前記溶接条件設定器が前記溶接電源装置に接続されており、かつ、前記溶接条件変更可否設定部が溶接条件の変更不可に設定されている場合には、前記第１の溶接条件設定部および前記第２の溶接条件設定部の少なくともいずれかによる前記溶接条件記憶部に記憶されている溶接条件の変更を不可とし、
前記溶接条件設定器が前記溶接電源装置に接続されていない場合には、前記第１の溶接条件設定部および前記第２の溶接条件設定部の少なくともいずれかによる前記溶接条件記憶部に記憶されている溶接条件の変更を不可とする請求項１から３のいずれか１項に記載の溶接装置。
【請求項５】
溶接条件設定器と溶接電源装置が接続されていない状態から、前記溶接条件設定器と前記溶接電源装置を接続した場合には、溶接条件変更可否設定部の設定内容に関わらず、第１の溶接条件設定部および第２の溶接条件設定部の少なくともいずれかによる溶接条件記憶部に記憶されている溶接条件の変更を不可とする請求項１から４のいずれか１項に記載の溶接装置。
【請求項６】
溶接電源装置は前記溶接電源装置を起動するための起動スイッチを備え、前記溶接電源装置の起動時には、溶接条件変更可否設定部の設定内容に関わらず、第１の溶接条件設定部および第２の溶接条件設定部の少なくともいずれかによる溶接条件記憶部に記憶されている溶接条件の変更を不可とする請求項１から５のいずれか１項に記載の溶接装置。
【請求項７】
溶接条件設定器に設けられた第１の溶接条件設定部は、溶接電流と溶接電圧を設定する機能を有し、
溶接電源装置に設けられた第２の溶接条件設定部は、溶接電流と溶接電圧を除く溶接条件を設定する機能を有する請求項１から６のいずれか１項に記載の溶接装置。
【手続補正３】
【補正対象書類名】図面
【補正対象項目名】全図
【補正方法】変更
【補正の内容】
【図１】
2012157157.tif 000007
【図２】
2012157157.tif 000008
【図３】
2012157157.tif 000009
【図４】
2012157157.tif 000010
【国際調査報告】
2012157157.tif 000011
2012157157.tif 000012